(57)【要約】  フラットワイヤ平面変圧器のためのインタリーブ型フラットワイヤ構造体が提供される。インタリーブ型フラットワイヤ構造体は、第１端部と、第２端部と、複数の第１リング部分とを含む第１巻線ワイヤを備えている。インタリーブ型フラットワイヤ構造体は、さらに、第１端部と、第２端部と、複数の第２リング部分とを含む第２巻線ワイヤを備えている。複数の第１リング部分の一部分と複数の第２リング部分の一部分とは相互インタリーブされている。【選択図】図１Ｃ
2014505364.tif 000002
【特許請求の範囲】
【請求項１】
第１端部と、第２端部と、複数の第１リング部分とを含む第１巻線ワイヤと、
第１端部と、第２端部と、複数の第２リング部分とを含む第２巻線ワイヤと、
を備え、
前記第１巻線ワイヤの前記複数の第１リング部分の一部分と前記第２巻線ワイヤの前記複数の第２リング部分の一部分とが相互インタリーブされる、フラットワイヤ平面変圧器用のインタリーブ型フラットワイヤ構造体。
【請求項２】
第１端部と、第２端部と、複数の第３リング部分とを含む第３巻線ワイヤをさらに備え、
前記複数の第３リング部分の一部分は、前記複数の第１リング部分または前記複数の第２リング部分の一部分とインタリーブされる、請求項１に記載のインタリーブ型フラットワイヤ構造体。
【請求項３】
前記複数の第１リング部分は第１螺旋リングであり、前記複数の第２リング部分は第２螺旋リングであり、前記第１螺旋リングの一部分が前記第２螺旋リングとインタリーブされる、請求項１または２に記載のインタリーブ型フラットワイヤ構造体。
【請求項４】
前記第１および第２巻線ワイヤの両方が幅広面を含み、前記第１螺旋リングの前記部分と前記第２螺旋リングの前記部分とが水平方向に相互インタリーブされることで、前記第１螺旋リングの前記部分の前記幅広面と前記第２螺旋リングの前記部分の前記幅広面とが積層構成で交互に配設される、請求項３に記載のインタリーブ型フラットワイヤ構造体。
【請求項５】
前記第１および第２巻線ワイヤの両方が幅広面を含み、前記第１リング部分の前記部分と前記第２リング部分の前記部分とが垂直方向に相互インタリーブされることで前記第１リング部分の前記部分の前記幅広面と前記第２リング部分の前記部分の前記幅広面とが同心構成で交互に配設される、請求項１または２に記載のインタリーブ型フラットワイヤ構造体。
【請求項６】
前記第１および第２巻線ワイヤが、銅、アルミニウム、黄銅、リン青銅、ニッケル、または銀のうちの一つから構成される、請求項１から５のいずれか一項に記載のインタリーブ型フラットワイヤ構造体。
【請求項７】
コアと、
前記コアに収容されるインタリーブ型フラットワイヤ構造体であって、第１端部と、第２端部と、複数のリング部分とを含む第１巻線ワイヤと、第１端部と、第２端部と、複数の第２リング部分とを含む第２巻線ワイヤとを含むインタリーブ型フラットワイヤ構造体であり、前記複数の第１リング部分の一部分と前記複数の第２リング部分の一部分とが相互インタリーブされる、インタリーブ型フラットワイヤ構造体と、
を備える、フラットワイヤ平面変圧器。
【請求項８】
前記インタリーブ型フラットワイヤ構造体が、さらに、第１端部と、第２端部と、複数の第３リング部分とを含む第３巻線ワイヤを含み、
前記複数の第３リング部分の一部分は、前記複数の第１リング部分または前記複数の第２リング部分の一部分とインタリーブされる、請求項７に記載のフラットワイヤ平面変圧器。
【請求項９】
前記複数の第１リング部分は第１螺旋リングであり、前記複数の第２リング部分は第２螺旋リングであり、前記第１螺旋リングの一部分が前記第２螺旋リングとインタリーブされる、請求項７または８に記載のフラットワイヤ平面変圧器。
【請求項１０】
前記第１および第２巻線ワイヤの両方が幅広面を含み、前記第１螺旋リングの前記部分と前記第２螺旋リングの前記部分とが水平方向に相互インタリーブされることで前記第１螺旋リングの前記部分の前記幅広面と前記第２螺旋リングの前記部分の前記幅広面とが積層構成で交互に配設される、請求項９に記載のフラットワイヤ平面変圧器。
【請求項１１】
前記第１および第２巻線ワイヤの両方が幅広面を含み、前記第１リング部分の前記部分と前記第２リング部分の前記部分とが垂直方向に相互インタリーブされることで、前記第１リング部分の前記部分の前記幅広面と前記第２リング部分の前記部分の前記幅広面とが同心構成で交互に配設される、請求項７または８に記載のフラットワイヤ平面変圧器。
【請求項１２】
前記第１および第２巻線ワイヤが、銅、アルミニウム、黄銅、リン青銅、ニッケル、または銀のうちの一つから構成される、請求項７から１１のいずれか一項に記載のフラットワイヤ平面変圧器。
【請求項１３】
前記コアが、前記インタリーブ型フラットワイヤ構造体のためのハウジングと、カバーと、前記カバーを前記ハウジングに装着する一つ以上のクリップとを含む、請求項７から１２のいずれか一項に記載のフラットワイヤ平面変圧器。
【請求項１４】
前記コアに収容されるプリント回路基板をさらに備え、前記プリント回路基板が第１部分と第２部分とを含み、
前記プリント回路基板の前記第１および第２部分が前記コアから延出するように、前記コアが前記コアの両端部に開口部を含む、請求項７から１３のいずれか一項に記載のフラットワイヤ平面変圧器。
【請求項１５】
前記コアがフェライトコアである、請求項７から１４のいずれか一項に記載のフラットワイヤ平面変圧器。
【発明の詳細な説明】
【技術分野】
【０００１】
本発明は、電気変圧器の分野に関連する。より詳しくは、本発明はフラットワイヤ平面変圧器に関連する。
【背景技術】
【０００２】
平面変圧器は周知である。既存の平面変圧器は、単層のプリント回路基板（ＰＣＢ）、または変圧器コアにおいて相互の上に積層された複数のＰＣＢを用いる。しかし、ＰＣＢへのワイヤトレースの埋め込みには費用がかかる。また、ユーザの所望する仕様に適合するワイヤトレースを備えるＰＣＢを製造するためには、設計および生産時間に時間がかかる。
【０００３】
既存の平面変圧器は、予備成形されたフラットワイヤ巻線を積層することによって形成される。しかし、予備成形されたフラットワイヤ巻線を積層する際には、変圧器を設計する際に重要である巻線間の寄生現象（interwinding parasitics）（例えば、漏洩インダクタンスおよびキャパシタンス）を制御および調整することが困難である。
【発明の概要】
【課題を解決するための手段】
【０００４】
本出願は、インタリーブ（交互配置）された巻線を備えるフラットワイヤ平面変圧器を対象としている。すなわち、本実施形態では、設計および製造が容易であって、ワイヤトレースをＰＣＢに埋め込む従来の平面変圧器よりも低コストなフラットワイヤ平面変圧器を提供する。また、本実施形態では、ターンごとの結合制御が可能なフラットワイヤ平面変圧器を提供する。
【０００５】
また、本実施形態では、薄型で高効率なパッケージでの高電力高電流用途のために高周波数での動作が可能なフラットワイヤ平面変圧器を提供する。予備成形されたフラットワイヤ巻線の均一性は、高い生産歩留まり、生産品質、そして信頼性を達成する高度自動化製造プロセスを可能とする。
【０００６】
特に、本実施形態では、インタリーブ型構造体において予備成形フラットワイヤを含むフラットワイヤ平面変圧器を提供する。いくつかの実施形態では、インタリーブ型フラットワイヤ平面変圧器は、水平方向にインタリーブされた２本以上のフラットワイヤを用いることができる。いくつかの実施形態では、インタリーブ型フラットワイヤ平面変圧器は垂直方向にインタリーブされた２本以上のフラットワイヤを用いることができる。
【０００７】
ここで定義されるインタリーブ型のワイヤおよび巻線は、交互に相互離間した２本以上の巻線ワイヤ（例えば一次巻線、二次巻線、補助巻線など）の部分を対象としている。
【０００８】
一実施形態では、フラットワイヤ平面変圧器のためのインタリーブ型フラットワイヤ構造体が提供される。インタリーブ型フラットワイヤ構造体は、第１端部と第２端部と複数の第１リング部分とを含む第１巻線ワイヤを含む。インタリーブ型フラットワイヤ構造体は、さらに、第１端部と第２端部と複数の第２リング部分とを含む第２巻線ワイヤを含む。複数の第１リング部分の一部分と複数の第２リング部分の一部分とは、相互インタリーブされている。
【０００９】
別の実施形態では、コアとコアの中に収容されるインタリーブ型フラットワイヤ構造体とを含むフラットワイヤ平面変圧器が提供される。インタリーブ型フラットワイヤ構造体は、第１端部と第２端部と複数の第１リング部分とを含む第１巻線ワイヤを含む。インタリーブ型フラットワイヤ構造体は、さらに、第１端部と第２端部と複数の第２リング部分とを含む第２巻線ワイヤを含む。複数の第１リング部分の一部分と複数の第２リング部分の一部分とは、相互インタリーブされている。
【図面の簡単な説明】
【００１０】
【図１Ａ】一実施形態に係る、２本のフラットワイヤが水平方向にインタリーブされたインタリーブ型フラットワイヤ平面変圧器の上方斜視図である。
【図１Ｂ】一実施形態に係る、２本のフラットワイヤが水平方向にインタリーブされたインタリーブ型フラットワイヤ平面変圧器の側方斜視図である。
【図１Ｃ】水平フラットワイヤ構造体を収容するコアの上方斜視図である。
【図２Ａ】一実施形態に係る、水平フラットワイヤ構造体の第１巻線ワイヤの上面図である。
【図２Ｂ】一実施形態に係る、水平フラットワイヤ構造体の第１巻線ワイヤの側面図である。
【図２Ｃ】一実施形態に係る、水平フラットワイヤ構造体の第２巻線ワイヤの上面図である。
【図２Ｄ】一実施形態に係る、水平フラットワイヤ構造体の第２巻線ワイヤの側面図である。
【図２Ｅ】一実施形態に係る、水平フラットワイヤ構造体の第３巻線ワイヤの上面図である。
【図２Ｆ】一実施形態に係る、水平フラットワイヤ構造体の第３巻線ワイヤの側面図である。
【図３Ａ】一実施形態に係る、一次巻線と二次巻線と補助巻線とを用いる水平フラットワイヤ構造体の上面図である。
【図３Ｂ】一実施形態に係る、一次巻線と二次巻線と補助巻線とを用いる水平フラットワイヤ構造体の側面図である。
【図４Ａ】一実施形態に係る、複数の螺旋リングを含む螺旋部分を備える第１巻線ワイヤと、複数の螺旋リングを含む螺旋部分を備える第２巻線ワイヤとの側面図である。
【図４Ｂ】一実施形態に係る、一次巻線の螺旋部分が二次巻線の螺旋部分と１００％インタリーブされた水平フラットワイヤ構造体の側面図である。
【図４Ｃ】一実施形態に係る、一次巻線の螺旋部分が二次巻線の螺旋部分と６０％インタリーブされた別の水平フラットワイヤ構造体の側面図である。
【図５Ａ】一実施形態に係る、２本のフラットワイヤが垂直方向にインタリーブされたインタリーブ型フラットワイヤ平面変圧器の上方斜視図である。
【図５Ｂ】一実施形態に係る、垂直フラットワイヤ構造体を収容するコアの上面図である。
【発明を実施するための形態】
【００１１】
ここに提示される実施形態は、インタリーブされた巻線を備えるフラットワイヤ平面変圧器を対象としている。すなわち、本実施形態は、設計および製造を容易に行うことができ、ワイヤトレースをＰＣＢへ埋め込む従来の平面変圧器よりも低コストなフラットワイヤ平面変圧器を提供する。
【００１２】
特に、本実施形態は、予備成形されたフラットワイヤをインタリーブ型構造体に含むフラットワイヤ平面変圧器を提供する。いくつかの実施形態では、インタリーブ型フラットワイヤ平面変圧器が、水平方向にインタリーブされた２本以上のフラットワイヤを用いることができる。いくつかの実施形態では、インタリーブ型フラットワイヤ平面変圧器は、垂直方向にインタリーブされた２本以上のフラットワイヤを用いることができる。
【００１３】
ここに定義されるインタリーブ型のワイヤおよび巻線は、交互に相互離間する２本以上の巻線ワイヤの部分（例えば一次巻線、二次巻線、補助巻線など）を対象としている。
【００１４】
図１Ａおよび図１Ｂは、一実施形態に係る、２本のフラットワイヤが水平方向にインタリーブされたインタリーブ型フラットワイヤ平面変圧器１００の上方斜視図および側方斜視図を示す。変圧器１００は、コア１１０と、水平フラットワイヤ構造体１２０と、ＰＣＢ１３０と、一次巻線コネクタ１４０と、二次巻線コネクタ１５０と、一次外部コネクタ１６０と、二次外部コネクタ１７０とを含む。
【００１５】
図１Ａおよび図１Ｂのコア１１０は、ＥＲまたはＥＲＩコアである。いくつかの実施形態では、ＥＩまたはＲＭコアとしての形状をコア１１０が有することも可能である。コア１１０は、マグネシウム亜鉛（ＭｇＺｎ）原材料で構成されるフェライトコアであり得る。他の実施形態では、鉄粉（Ｆｅ）、ニッケル亜鉛（ＮｉＺｎ）など、他の材料でフェライトコアが構成され得る。
【００１６】
水平フラットワイヤ構造体１２０は、ＰＣＢ１３０の上でコア１１０に収容される。コア１１０は、クリップ１１６により装着されるハウジング１１２とカバー１１４とを含む。一実施形態では、クリップ１１６は鋼で製作され得る。他の実施形態では、クリップ１１６が使用されなくてもよく、ハウジング１１２とカバー１１４とがエポキシを用いて装着され得る。
【００１７】
ＰＣＢ１３０は、コア１１０の内部に収容されている。ＰＣＢ１３０は、コア１１０の両端部の開口部を通ってコア１１０から各々が延出する第１部分１３２および第２部分１３４を含む。ＰＣＢ１３０の第１部分１３２に一次巻線コネクタ１４０が装着され、ＰＣＢ１３０の第２部分１３４に二次巻線コネクタ１５０が装着される。いくつかの実施形態では、ＰＣＢ１３０は一つ以上の送受信回路（不図示）を含み得る。この実施形態において、ＰＣＢ１３０は、ＰＣＢ１３０の上側に単一の巻線ターンを、ＰＣＢ１３０の底側に単一の巻線ターンを含む。ＰＣＢ１３０の二つの巻線ターンは補助巻線として使用される。また、端子はんだピンを装着および配置するためのプラットフォームベースとして、ＰＣＢ１３０が用いられる。いくつかの実施形態では、ＰＣＢ１３０が用いられなくてもよく、プラスチック製プラットフォームベースと置き換えられることが可能である。プラスチック製プラットフォームベースは、変圧器１００の安定性と製造目的のために提供され得る。
【００１８】
図１Ｃは、水平フラットワイヤ構造体１２０を収容するコア１１０のハウジング１１２の上方斜視図を示す。フラットワイヤ構造体１２０は、ハウジング１１２の突出部１１８の周囲に嵌着している。フラットワイヤ構造体１２０は、二次巻線ワイヤ１２４とインタリーブされた一次巻線ワイヤ１２２を含む。水平フラットワイヤ構造体１２０の一次巻線１２２および二次巻線１２４のフラット部分（例えば一次および二次巻線１２２，１２４の幅広面）は、ハウジング１１２と水平方向に当接するように配設されている。一次巻線ワイヤ１２２と二次巻線ワイヤ１２４の両方が銅からなる。いくつかの実施形態では、一次巻線ワイヤ１２２および／または二次巻線ワイヤ１２４は、例えばアルミニウム、黄銅、リン青銅、ニッケル、銀、または銅と他の金属との組み合わせなどで作製され得る。
【００１９】
図１Ａに示されているように、一次巻線ワイヤ１２２の上部分および底部分は、一次巻線コネクタ１４０を介してＰＣＢ１３０に電気接続されている。同様に、二次巻線ワイヤ１２４の上部分および底部分は、二次巻線コネクタ１５０を介してＰＣＢ１３０に電気接続されている。一次外部コネクタ１６０および二次外部コネクタ１７０は、外部電気部品がフラットワイヤ平面変圧器１００に接続されるようにするために設けられている。この実施形態では、一次および二次巻線ワイヤ１２２，１２４の上部分および底部分は、ＰＣＢ１３０と一次および二次巻線コネクタ１４０，１５０とにそれぞれ溶接され得る。他の実施形態では、一次および二次巻線ワイヤ１２２，１２４はＰＣＢ１３０にはんだ接合され得る。また別のいくつかの実施形態では、一次および二次巻線コネクタ１４０，１５０が用いられなくてもよく、一次および二次巻線１２２，１２４が端子ピンとして形成されてＰＣＢ１３０に装着されることが可能である。
【００２０】
図２Ａから図２Ｆは、それぞれ第１巻線ワイヤ２１０、第２巻線ワイヤ２２０、第３巻線ワイヤ２３０の上面および側面図を示す。図２Ａから図２Ｆに示されているように、第１巻線ワイヤ２１０と第２巻線ワイヤ２２０と第３巻線ワイヤ２３０の各々は、螺旋部分２１２，２２２，２３２と上端部分２１４，２２４，２３４と底端部分２１６，２２６，２３６とを含む。
【００２１】
螺旋部分２１２，２２２，２３２は、巻線ワイヤ２１０，２２０，２３０の各々のターン数を示す複数の螺旋リング２１３，２２３，２３３から成る。例えば、第１巻線ワイヤ２１０の螺旋リング２１３は５．７５ターンを形成し、第２巻線ワイヤ２２０の螺旋リング２２３は３．７５ターンを形成し、第３巻線ワイヤ２３０の螺旋リング２３３は１．７５ターンを含む。
【００２２】
図２Ａから図２Ｆに示された実施形態では、上端部分２１４，２２４，２３４の各々および底端部分２１６，２２６，２３６の各々の長さは、約１０ｍｍの長さである。また、螺旋リング２１３，２２３，２３３の各々の直径は約１０ｍｍの長さであって、螺旋リング２１３，２２３，２３３の各々の間の距離は約３．６ｍｍから約２０ｍｍの間である。他の実施形態では、螺旋リング２１３，２２３，２３３の直径と、螺旋リング２１３，２２３，２３３の各々の間の最大距離とは、ユーザ要件に基づいて変更可能である。
【００２３】
図３Ａおよび図３Ｂは、それぞれ、一次巻線としての第１巻線ワイヤ２１０と二次巻線としての第２巻線ワイヤ２２０と補助巻線としての第３巻線ワイヤ２３０とを用いる水平フラットワイヤ構造体３００の上面図および側面図である。補助巻線は、電力の引き出しが可能な追加差込み口として設けられ得る。いくつかの実施形態では、一次側と二次側のいずれかのコネクタへの配置が可能な補助コネクタに、補助巻線が接続され得る。図３Ｂに示されているように、第１巻線ワイヤ２１０のためのコネクタとして同じ個所に配置された補助コネクタに、第３巻線ワイヤ２３０が接続されることになり得る。螺旋リング２１３，２２３の各々が交互に相互離間して積層構成を形成し得るように、螺旋部分２１２，２２２は水平方向にインタリーブされる。螺旋部分２１２と螺旋部分２２２とをインタリーブすることにより、水平フラットワイヤ構造体３００は、巻線の寄生現象、特に漏洩インダクタンスの改良についての制御向上を達成できる。インタリーブされた螺旋部分２１２，２２２が、螺旋部分２３２の上に積層される。
【００２４】
図４Ａは、複数の螺旋リング４１３を含む螺旋部分４１２を備える第１巻線ワイヤ４１０と、複数の螺旋リング４２３を含む螺旋部分４２２を備える第２巻線ワイヤ４２０との側面図を示す。第１巻線ワイヤ４１０は、上部分４１４および底部分４１６も含む。同様に、第２巻線ワイヤ４２０は、上部分４２４および底部分４２６を含む。図４Ｂは、螺旋リング４１３の各々が螺旋リング４２３の各々とインタリーブされ得るように、第１巻線ワイヤ４１０の螺旋部分４１２が第２巻線ワイヤ４２０の螺旋部分４２２と１００％インタリーブされた水平フラットワイヤ構造体４３０の側面図を示す。図４Ｃは、螺旋リング４１３および螺旋リング４２３の６０％が相互インタリーブされ得るように、第１巻線ワイヤ４１０の螺旋部分４１２が第２巻線ワイヤ４２０の螺旋部分４２２と６０％インタリーブされた第２水平フラットワイヤ構造体４４０の側面図を示す。螺旋リング４１３および螺旋リング４２３のインタリーブの割合を変更することにより、フラットワイヤ平面変圧器の巻線寄生現象（例えば漏洩インダクタンスおよび巻線間キャパシタンスを含む）が修正および制御され得る。
【００２５】
図５Ａは、別の実施形態に係る、２本のフラットワイヤが垂直方向にインタリーブされたインタリーブ型フラットワイヤ平面変圧器５００の上方斜視図を示す。変圧器５００は、コア５１０と、垂直フラットワイヤ構造体５２０と、ＰＣＢ５３０と、一次巻線コネクタ５４０と、二次巻線コネクタ５５０と、一次外部コネクタ５６０と、二次外部コネクタ５７０とを含む。この実施形態では、垂直フラットワイヤ平面変圧器５００はコモンモードチョーク（ＣＭＣ）として作用するように構成されている。他の実施形態では、電力変圧器、結合インダクタなどとして垂直フラットワイヤ平面変圧器５００が構成され得る。
【００２６】
コア５１０はＲＭ形状のコアである。いくつかの実施形態では、コア５１０はＥＩまたはＥＲコアとしての形状も可能である。コア５１０は、マグネシウム亜鉛（ＭｇＺｎ）原材料で構成されるフェライトコアでもあり得る。他の実施形態では、鉄粉（Ｆｅ）、ニッケル亜鉛（ＮｉＺｎ）など、他のフェライト材料でフェライトコアが構成されることも可能である。
【００２７】
垂直フラットワイヤ構造体５２０は、ＰＣＢ５３０の上でコア５１０に収容される。コア５１０は、クリップ（不図示）により装着されるハウジング５１２（図５Ｂに図示）およびカバー５１４を含む。
【００２８】
ＰＣＢ５３０はコア５１０に収容されている。ＰＣＢ５３０は、コア５１０の両端部の開口部を通ってコア５１０から各々が延出する第１部分５３２および第２部分５３４を含む。一次巻線コネクタ５４０はＰＣＢ５３０の第１部分５３２に装着され、二次巻線コネクタ５５０はＰＣＢ５３０の第２部分５３４に装着されている。いくつかの実施形態では、ＰＣＢ５３０は一つ以上の送受信回路（不図示）を含み得る。
【００２９】
図５Ｂは、垂直フラットワイヤ構造体５２０を収容するコア５１０のハウジング５１２の上方斜視図を示す。フラットワイヤ構造体５２０は、ハウジング５１２の突出部５１８の周囲に嵌着している。フラットワイヤ構造体５２０は、二次巻線ワイヤ５２４とインタリーブされた一次巻線ワイヤ５２２を含む。
【００３０】
特に、一次巻線ワイヤ５２２は、第１端部５８０と、第２端部５８２と、複数の一次リング部分５８４とを含む。同様に、二次巻線ワイヤ５２４は、第１端部５９０と、第２端部５９２と、複数の二次リング部分５９４とを含む。一次リング部分５８４と二次リング部分５９４とが同心構成で交互に配設されるように、複数の一次リング部分５８４と複数の二次リング部分５９４とは垂直方向に相互インタリーブされている。他の実施形態では、複数の一次リング部分５８４の一部分と二次リング部分５９４の一部分とが垂直方向に相互インタリーブされている（不図示）。水平フラットワイヤ構造体と反対に、垂直フラットワイヤ構造体５２０の一次巻線５２２および二次巻線５２４のフラット部分（一次および二次巻線５２２，５２４の幅広面など）は、ハウジング５１２と垂直方向に当接するように配設されている。一次巻線ワイヤ５２２と二次巻線ワイヤ５２４の両方が銅から作製され得る。いくつかの実施形態では、一次巻線ワイヤ５２２および／または二次巻線ワイヤ５２４は、例えばアルミニウム、黄銅、リン青銅、ニッケル、銀、または銅と他の金属との組み合わせから成ることが可能である。
【００３１】
図５Ａに示されているように、一次巻線ワイヤ５２２の第１部分および第２部分は、一次巻線コネクタ５４０を介してＰＣＢ５３０に電気接続されている。同様に、二次巻線ワイヤ５２４の第１部分および第２部分は、二次巻線コネクタ５５０を介してＰＣＢ５３０に電気接続されている。この実施形態では、一次および二次巻線ワイヤ５２２，５２４の第１および第２部分は、ＰＣＢ５３０と一次および二次巻線コネクタ５４０，５５０とにそれぞれ溶接またははんだ接合される。一次外部コネクタ５６０と二次外部コネクタ５７０とは、インタリーブされたフラットワイヤ平面変圧器５００に外部電気部品が接続されるようにすることが可能である。
【００３２】
（態様）
以下の態様１〜６のいずれかが態様７〜１５のいずれかと組み合わされ得ることに注意すること。
【００３３】
１．第１端部と、第２端部と、複数の第１リング部分とを含む第１巻線ワイヤと、
第１端部と、第２端部と、複数の第２リング部分とを含む第２巻線ワイヤと、
を備え、
第１巻線ワイヤの複数の第１リング部分の一部分と第２巻線ワイヤの複数の第２リング部分の一部分とが相互インタリーブされる、フラットワイヤ平面変圧器用のインタリーブ型フラットワイヤ構造体。
【００３４】
２．第１端部と、第２端部と、複数の第３リング部分とを含む第３巻線ワイヤをさらに備え、
複数の第３リング部分の一部分が複数の第１リング部分または複数の第２リング部分の一部分とインタリーブされる、態様１のインタリーブ型フラットワイヤ構造体。
【００３５】
３．複数の第１リング部分が第１螺旋リングであり、複数の第２リング部分が第２螺旋リングであり、第１螺旋リングの一部分が第２螺旋リングとインタリーブされる、態様１または２のインタリーブ型フラットワイヤ構造体。
【００３６】
４．第１および第２巻線ワイヤの両方が幅広面を含み、第１螺旋リングの一部分と第２螺旋リングの一部分とが垂直方向に相互インタリーブされることで第１螺旋リングの一部分の幅広面と第２螺旋リングの一部分の幅広面とが積層構成で交互に配設される、態様３のインタリーブ型フラットワイヤ構造体。
【００３７】
５．第１および第２巻線ワイヤの両方が幅広面を含み、第１リング部分の一部分と第２リング部分の一部分とが垂直方向に相互インタリーブされることで第１リング部分の一部分の幅広面と第２リング部分の一部分の幅広面とが同心構成で交互に配設される、態様１または２のインタリーブ型フラットワイヤ構造体。
【００３８】
６．第１および第２巻線ワイヤが銅、アルミニウム、黄銅、リン青銅、ニッケル、または銀のうちの一つから構成される、態様１から５のいずれかのインタリーブ型フラットワイヤ構造体。
【００３９】
７．コアと、
コアに収容されるインタリーブ型フラットワイヤ構造体であって、第１端部と、第２端部と、複数のリング部分とを含む第１巻線ワイヤと、第１端部と、第２端部と、複数の第２リング部分とを含む第２巻線ワイヤと、を備えるインタリーブ型フラットワイヤ構造体であり、複数の第１リング部分の一部分と複数の第２リング部分の一部分とが相互インタリーブされる、インタリーブ型フラットワイヤ構造体と、
を備えるフラットワイヤ平面変圧器。
【００４０】
８．インタリーブ型フラットワイヤ構造体が、さらに、第１端部と、第２端部と、複数の第３リング部分とを含む第３巻線ワイヤを含み、
複数の第３リング部分の一部分が複数の第１リング部分または複数の第２リング部分の一部分とインタリーブされる、態様７のフラットワイヤ平面変圧器。
【００４１】
９．複数の第１リング部分が第１螺旋リングであり、複数の第２リング部分が第２螺旋リングであり、第１螺旋リングの一部分が第２螺旋リングとインタリーブされる、態様７または８のフラットワイヤ平面変圧器。
【００４２】
１０．第１および第２巻線ワイヤの両方が幅広面を含み、第１螺旋リングの一部分と第２螺旋リングの一部分とが水平方向に相互インタリーブされることで第１螺旋リングの一部分の幅広面と第２螺旋リングの一部分の幅広面とが積層構成で交互に配設される、態様９のフラットワイヤ平面変圧器。
【００４３】
１１．第１および第２巻線ワイヤの両方が幅広面を含み、第１リング部分の一部分と第２リング部分の一部分とが垂直方向に相互インタリーブされることで、第１リング部分の一部分の幅広面と第２リング部分の一部分の幅広面とが同心構成で交互に配設される、態様７または８のフラットワイヤ平面変圧器。
【００４４】
１２．第１および第２巻線ワイヤが銅、アルミニウム、黄銅、リン青銅、ニッケル、または銀のうち一つから構成される、態様７から１１のいずれかのフラットワイヤ平面変圧器。
【００４５】
１３．インタリーブ型フラットワイヤ構造体のためのハウジングと、カバーと、カバーをハウジングに装着するための一つ以上のクリップとをコアが含む、態様７から１２のいずれかのフラットワイヤ平面変圧器。
【００４６】
１４．コアに収容されるプリント回路基板をさらに備え、プリント回路基板が第１部分と第２部分とを含み、
プリント回路基板の第１および第２部分がコアから延出するように、コアは、コアの両端部に開口部を含む、態様７から１３のいずれかのフラットワイヤ平面変圧器。
【００４７】
１５．コアがフェライトコアである、態様７から１４のいずれかのフラットワイヤ平面変圧器。
【００４８】
本出願に開示される例は、すべての点において例示的であって限定的ではないと考えられるべきである。本発明の範囲は、上記の説明によってではなく添付の請求項によって示され、請求項の同等物の意味および範囲に含まれるすべての変更はこれに包含されるものとする。  
【符号の説明】
【００４９】
１００  変圧器
１１０  コア
１１２  ハウジング
１１４  カバー
１１６  クリップ
１１８  突出部
１２０  水平フラットワイヤ構造体
１２２  一次巻線ワイヤ
１２４  二次巻線ワイヤ
１３０  ＰＣＢ（プリント回路基板）
１３２  ＰＣＢの第１部分
１３４  ＰＣＢの第２部分
１４０  一次巻線コネクタ
１５０  二次巻線コネクタ
１６０  一次外部コネクタ
１７０  二次外部コネクタ
２１０  第１巻線ワイヤ
２１２  螺旋部分
２１３  螺旋リング
２１４  上端部分
２１６  底端部分
２２０  第２巻線ワイヤ
２２２  螺旋部分
２２３  螺旋リング
２２４  上端部分
２２６  底端部分
２３０  第３巻線ワイヤ
２３２  螺旋部分
２３３  螺旋リング
２３４  上端部分
２３６  底端部分
４１０  第１巻線ワイヤ
４１２  螺旋部分
４１３  螺旋リング
４１４  上部分
４１６  底部分
４２０  第２巻線ワイヤ
４２２  螺旋部分
４２３  螺旋リング
４２４  上部分
４２６  底部分
４３０  水平フラットワイヤ構造体
５００  インタリーブ型フラットワイヤ平面変圧器
５１０  コア
５１２  ハウジング
５１４  カバー
５１８  突出部
５２０  垂直フラットワイヤ構造体
５２２  一次巻線ワイヤ
５２４  二次巻線ワイヤ
５３０  ＰＣＢ
５３２  ＰＣＢの第１部分
５３４  ＰＣＢの第２部分
５４０  一次巻線コネクタ
５５０  二次巻線コネクタ
５６０  一次外部コネクタ
５７０  二次外部コネクタ
５８０  一次巻線の第１端部
５８２  一次巻線の第２端部
５８４  一次リング部分
５９０  二次巻線の第１端部
５９２  二次巻線の第２端部
５９４  二次リング部分
【図１Ａ】
2014505364.tif 000003
【図１Ｂ】
2014505364.tif 000004
【図１Ｃ】
2014505364.tif 000005
【図２Ａ】
2014505364.tif 000006
【図２Ｂ】
2014505364.tif 000007
【図２Ｃ】
2014505364.tif 000008
【図２Ｄ】
2014505364.tif 000009
【図２Ｅ】
2014505364.tif 000010
【図２Ｆ】
2014505364.tif 000011
【図３Ａ】
2014505364.tif 000012
【図３Ｂ】
2014505364.tif 000013
【図４Ａ】
2014505364.tif 000014
【図４Ｂ】
2014505364.tif 000015
【図４Ｃ】
2014505364.tif 000016
【図５Ａ】
2014505364.tif 000017
【図５Ｂ】
2014505364.tif 000018
【国際調査報告】
2014505364.tif 000019
2014505364.tif 000020
2014505364.tif 000021